(57)【要約】【課題】主に、１つの管継手によって複数の枝管への分岐が可能となると共に、分岐数を自在に選択できるようにする。【解決手段】給水配管１３に対して融着可能な管継手本体２１が設けられ、管継手本体２１が、給水枝管１１を接続可能な枝管接続用筒状突起部２４を備えた給水配管１３の分岐部構造１２であって、管継手本体２１から、枝管接続用筒状突起部２４が、複数本突設され、複数本の枝管接続用筒状突起部２４が、その先端にそれぞれ閉塞部３１を有し、給水枝管１１を接続する枝管接続用筒状突起部２４のみに対して、その先端の閉塞部３１を開口させることによって、選択的に使用可能とし得るように構成している。【選択図】図１
2009121495.tif 000002
【特許請求の範囲】
【請求項１】
給水配管に対して融着可能な管継手本体が設けられ、該管継手本体が、給水枝管を接続可能な枝管接続用筒状突起部を備えた給水配管の分岐部構造であって、
前記管継手本体から、前記枝管接続用筒状突起部が、複数本突設され、
複数本の枝管接続用筒状突起部が、その先端にそれぞれ閉塞部を有し、
給水枝管を接続する枝管接続用筒状突起部のみに対して、その先端の閉塞部を開口させることによって、選択的に使用可能とし得るように構成したことを特徴とする給水配管の分岐部構造。
【請求項２】
前記管継手本体が、各枝管接続用筒状突起部のそれぞれと対応する複数の穴部を有すると共に、
前記枝管接続用筒状突起部が、先端に閉塞部を有し、後端に開口部を有するキャップ状物にて構成され、
前記穴部に、前記キャップ状物後端の開口部を位置合せした状態で、予め融着することによって、一体化されたことを特徴とする請求項１記載の給水配管の分岐部構造。
【請求項３】
請求項１または請求項２の給水配管の分岐部構造を、建物の給水立て管に採用したことを特徴とする建物の給水立て管構造。
【発明の詳細な説明】
【技術分野】
【０００１】
この発明は、中高層の集合住宅や事務所ビルなどの建物における給水配管の分岐部構造、および、給水立て管構造に関するものである。
【背景技術】
【０００２】
中高層の集合住宅や事務所ビルなどの建物における給水配管においては、現場での作業が容易で、施工工数がかからず、安全且つ確実に施工できるものが求められている。
【０００３】
給水配管の材料としては、塩化ビニルライニング鋼管やステンレス鋼管が主流であったが、近年は、耐久性、耐震性、施工工数の合理化の観点から、高性能ポリエチレン管が注目されている。このような高性能ポリエチレン管は、上記した鋼管系のものと比べて、重量が軽く、柔軟性があり、接続工法（融着接合）が容易であることから、採用数が増加する傾向にあるが、一方で、融着接合部分の信頼性向上のために、現場での融着接合箇所の低減が望まれている。
【０００４】
例えば、高性能ポリエチレン管を用いた建物の給水配管では、給水立て管は、直管の一方の端部に分岐継手が接合された枝付き片受け直管（例えば、特許文献１参照）を設けて、この枝付き片受け直管を１フロアごとに積み重ねて接合することによって構成されている。そして、１つの給水立て管から枝管を複数分岐する必要がある場合には、上下の枝付き片受け直管の間などに枝管接続口を１個のみ有するチーズ（分岐用管継手）を複数直列に配管することによって、各住戸へ給水させるようにしている。
【特許文献１】特開２００６−１０５３８９号公報
【発明の開示】
【発明が解決しようとする課題】
【０００５】
しかしながら、上記したように、枝管接続口を１個のみ有するチーズを複数直列に配管すると、建物のパイプシャフト（パイプ設置スペース）が狭い場合などに、パイプシャフトへの納まりが厳しくなったり、パイプシャフトに配管される他管種との取合いが困難となったりするという問題があった。また、チーズを複数使用するため、施工現場での融着接合箇所が多くなると共に、材料費のアップを招くという問題もあった。
【課題を解決するための手段】
【０００６】
上記課題を解決するために、請求項１に記載された発明では、給水配管に対して融着可能な管継手本体が設けられ、該管継手本体が、給水枝管を接続可能な枝管接続用筒状突起部を備えた給水配管の分岐部構造であって、前記管継手本体から、前記枝管接続用筒状突起部が、複数本突設され、複数本の枝管接続用筒状突起部が、その先端にそれぞれ閉塞部を有し、給水枝管を接続する枝管接続用筒状突起部のみに対して、その先端の閉塞部を開口させることによって、選択的に使用可能とし得るように構成したことを特徴としている。
【０００７】
請求項２に記載された発明では、前記管継手本体が、各枝管接続用筒状突起部のそれぞれと対応する複数の穴部を有すると共に、前記枝管接続用筒状突起部が、先端に閉塞部を有し、後端に開口部を有するキャップ状物にて構成され、前記穴部に、前記キャップ状物後端の開口部を位置合せした状態で、予め融着することによって、一体化された請求項１記載の給水配管の分岐部構造を特徴としている。
【０００８】
請求項３に記載された発明では、請求項１または請求項２の給水配管の分岐部構造を、建物の給水立て管に採用した建物の給水立て管構造を特徴としている。
【発明の効果】
【０００９】
請求項１の発明によれば、給水配管に対して融着可能な管継手本体が設けられ、該管継手本体が、給水枝管を接続可能な枝管接続用筒状突起部を備えた給水配管の分岐部構造であって、前記管継手本体から、前記枝管接続用筒状突起部が、複数本突設され、複数本の枝管接続用筒状突起部が、その先端にそれぞれ閉塞部を有し、給水枝管を接続する枝管接続用筒状突起部のみに対して、その先端の閉塞部を開口させることによって、選択的に使用可能とし得るように構成したことにより、以下のような作用効果を得ることができる。即ち、上記構成により、１つの管継手によって複数の枝管への分岐が可能となると共に、分岐数を自在に選択できるようになる。これによって、建物のパイプシャフトが狭い場合などであっても、パイプシャフトへの納まりや、他管種との取合いの問題を解消することが可能となる。また、施工現場での融着接合箇所を低減することができると共に、材料費や在庫数を減少することができる。
【００１０】
請求項２に記載された発明では、前記管継手本体が、各枝管接続用筒状突起部のそれぞれと対応する複数の穴部を有すると共に、前記枝管接続用筒状突起部が、先端に閉塞部を有し、後端に開口部を有するキャップ状物にて構成され、前記穴部に、前記キャップ状物後端の開口部を位置合せした状態で、予め融着することによって、一体化されたことにより、以下のような作用効果を得ることができる。即ち、上記構成により、コストをかけずに現場での施工が容易で安全且つ確実な信頼性の高い複数分岐継手を得ることができる。
【００１１】
請求項３に記載された発明では、請求項１または請求項２の給水配管の分岐部構造を、建物の給水立て管に採用したことにより、建物の給水立て管構造に対して、請求項１または請求項２と同様の作用効果を得ることができる。
【発明を実施するための最良の形態】
【００１２】
以下、本発明を具体化した実施例について、図示例と共に説明する。
【実施例】
【００１３】
図１〜図８は、この発明の実施例およびその変形例を示すものである。
【００１４】
まず、構成について説明する。
【００１５】
この実施例では、給水配管の分岐部構造を、給水立て管の部分に採用した建物の給水立て管構造を例として説明する。なお、給水配管は、建物の給水立て管に限るものではない。
【００１６】
建物としては、中高層の集合住宅や事務所ビルなどが主な対象とされる。但し、建物はこれに限るものではない。
【００１７】
そして、このような建物には、通常、パイプシャフトなどのパイプ設置スペースが設けられている。このようなパイプ設置スペースは、各階をほぼ上下方向へ貫くように構成されている。このパイプ設置スペースに対して、給水配管としての給水立て管や、ガス管などの他管種が設置される。
【００１８】
より具体的には、図１に示すように、建物１の各階の床部分を構成するスラブ２におけるパイプ設置スペース３の部分には、ほぼ上下に位置するように貫通穴４が形成されている。この貫通穴４に対し、上下方向へ延びる給水立て管５が挿通状態で設置されている。この給水立て管５は、上下方向へ延びるほぼ直管状をした給水主管６を複数本直列に接続したものである。この給水主管６は、高性能ポリエチレン管（高密度ポリエチレン樹脂製管）で構成されている。この給水主管６は、現場での融着接合によって接続されることになる。
【００１９】
この給水立て管５の途中には、ゲートバルブ７が設置されている。このゲートバルブ７は、その両端（上下端）を、スクリュージョイント８を介して給水主管６に取付けられる。ここでゲートバルブ７は、金属製とされている。ゲートバルブ７の両端には、ネジ部が設けられている。そのために、スクリュージョイント８は、ゲートバルブ７のネジ部に螺着可能な金属製のスクリュー部と、給水主管６に対し融着接合によって接続可能な高性能ポリエチレン製のジョイント部とを一体的に有するものなどとされている。
【００２０】
そして、１つの給水立て管５から給水枝管１１を複数分岐するための分岐部構造１２が用意される。なお、給水配管１３は、主要部を構成する給水主管６と、上記した給水枝管１１や分岐部構造１２などとによって構成されている。この場合、給水主管６は７５φの高性能ポリエチレン管（大径管）とされ、給水枝管１１は２０φの高性能ポリエチレン管（小径管）とされている。但し、給水主管６や給水枝管１１の径はこれに限るものではない。この場合、各給水枝管１１は、メータボックス１５を介して、各戸へ配管されている。なお、給水配管１３（給水主管６および給水枝管１１）は、管エルボ１６，１７（図７、図８参照）などを介することによって、方向変更が可能である。
【００２１】
このような分岐部構造１２として、主に図２〜図４に示すように、給水配管１３の主要部を構成する給水主管６に対して融着可能な管継手本体２１が設けられる。この管継手本体２１は、給水主管６の外径とほぼ等しい内径を有して、両端が開口（開口部２２）され、給水主管６などの端部を差込可能な短筒形状を呈している。この管継手本体２１の内部には、両端の開口部２２に嵌合された給水主管６の端部を融着接合可能な図示しない電気融着用コイル部が設置されている。そして、管継手本体２１の両端近傍の側面からは、上記した電気融着用コイル部へ通電するための端子部２３がそれぞれ突設されている。
【００２２】
そして、管継手本体２１は、給水枝管１１を接続可能な枝管接続用筒状突起部２４を備えている。この枝管接続用筒状突起部２４は、管継手本体２１と内部で連通されるものである。
【００２３】
この実施例では、上記した分岐部構造１２として、多数分岐用管継手２６が設けられ、用いられる。この多数分岐用管継手２６は、以下のようなものとされる。
【００２４】
即ち、この多数分岐用管継手２６では、管継手本体２１から、枝管接続用筒状突起部２４が、複数本（２本以上）突設されている。この場合、枝管接続用筒状突起部２４は、両端子部２３の間の位置に設けられる。また、各枝管接続用筒状突起部２４は、管継手本体２１の半径方向に向けて突設されている。但し、各枝管接続用筒状突起部２４の管継手本体２１に対する突設はこれに限るものではない。
【００２５】
図２では、枝管接続用筒状突起部２４は、周方向に対し１８０度の位相で２本設けられると共に、この２本の枝管接続用筒状突起部２４が軸線方向（この場合上下方向）に対して多段に（同位相で）設けられている。この場合、軸線方向に２段設けられることにより、枝管接続用筒状突起部２４は合計４本とされている。但し、枝管接続用筒状突起部２４の設置（段）数は、これに限るものではない。例えば、３段とすることにより６本とし、４段とすることにより８本とすることができる。
【００２６】
また、図３では、枝管接続用筒状突起部２４は、周方向に対し９０度の位相で２本設けられると共に、この２本の枝管接続用筒状突起部２４が軸線方向（この場合上下方向）に対して多段に（同位相で）設けられている。この場合、軸線方向に２段設けられることにより、枝管接続用筒状突起部２４は合計４本とされている。但し、枝管接続用筒状突起部２４の設置（段）数は、これに限るものではない。例えば、３段とすることにより６本とし、４段とすることにより８本とすることができる。
【００２７】
図４では、枝管接続用筒状突起部２４は、周方向に対し１８０度の位相で２本設けられると共に、この２本の枝管接続用筒状突起部２４が軸線方向（この場合上下方向）に対して多段に（同位相で）設けられている。この場合、軸線方向に２段設けられることにより、枝管接続用筒状突起部２４は合計４本とされている。但し、枝管接続用筒状突起部２４の設置（段）数は、これに限るものではない。例えば、３段とすることにより６本とし、４段とすることにより８本とすることができる。更に、図４の場合、少なくとも１つの段間の位置に、周方向に回転自在で且つ止水可能な回転継手部２８が設けられている。この回転継手部２８の位置で、管継手本体２１は、軸線方向に分割され、分割片が周方向に回転自在に組付けられると共に、分割片間に止水用のシールリングなどが介装される。
【００２８】
そして、これら複数本の枝管接続用筒状突起部２４は、図５に示すように、その先端にそれぞれ閉塞部３１を有している。
【００２９】
そして、給水枝管１１を接続する枝管接続用筒状突起部２４のみに対して、その先端の閉塞部３１を切除するなどして（切除線３２）、開口させる（開口形成部３３）ことによって、選択的に使用可能とし得るように構成されている。なお、枝管接続用筒状突起部２４の設置数が、給水枝管１１を接続可能な最大の口数となる。
【００３０】
そのために、この管継手本体２１は、各枝管接続用筒状突起部２４のそれぞれと対応する複数の穴部３５を有している。また、枝管接続用筒状突起部２４は、先端に閉塞部３１を有し、後端に開口部３６を有するキャップ状物にて構成されている。
【００３１】
そして、図示のように、穴部３５に、別に形成されたキャップ状物後端の開口部３６を当接・嵌合などにより位置合せした状態で、予め融着することによって、一体化・一部品化されるように構成している。ここで、穴部３５へのキャップ状物後端の開口部３６の融着は、バット融着などによって行うようにする。なお、閉塞部３１については、枝管接続用筒状突起部２４の外周端部にネジを螺刻し、そのネジ部にシールパッキンを介して別体のキャップを螺合することにより、閉塞部３１となるようにしても良い。
【００３２】
次に、この実施例の作用について説明する。
【００３３】
建物１のパイプ設置スペース３に配設する給水立て管５を構築する場合、例えば、図６に示すように、建物１の最下階の床部分を構成するスラブ２に形成された貫通穴４に対し、上端が若干突出するように給水主管６を貫通配置する。この給水主管６の上端にスクリュージョイント８を取付け、このスクリュージョイント８の上端にゲートバルブ７を取付け、このゲートバルブ７の上端に別のスクリュージョイント８を取付ける。そして、このスクリュージョイント８に給水主管６を接続する。なお、給水主管６とスクリュージョイント８との接続は、現場において、給水主管６の端部とスクリュージョイント８のジョイント部との間を融着接合することによって行われる。また、ゲートバルブ７とスクリュージョイント８との接続は、現場において、ゲートバルブ７のネジ部とスクリュージョイント８のスクリュー部とを螺着することによって行われる。
【００３４】
そして、１つの給水立て管５から給水枝管１１を複数分岐する場合、図７に示すように、分岐部構造１２として、給水主管６の途中などに多数分岐用管継手２６を取付けるようにする。
【００３５】
給水主管６と多数分岐用管継手２６との接続は、現場において、給水主管６の端部と多数分岐用管継手２６との間を融着接合することによって行われる。この融着接合は、給水主管６などの端部を管継手本体２１の開口部２２へ差込み、端子部２３を介して電気融着用コイル部へ通電して、給水主管６と管継手本体２１との間の樹脂を溶かすことによって行われる。このような、融着接合を採用することにより、下階から順に組み上げることなく、仮組みを行った後に、任意の場所から適宜施工して行くことが可能となる。
【００３６】
そして、図５に示すように、給水枝管１１を接続する枝管接続用筒状突起部２４のみに対して、その先端の閉塞部３１を切除するなどして（切除線３２）、選択的に開口させる（開口形成部３３）ようにする。
【００３７】
例えば、図１に示すように、給水枝管１１を２本接続する場合には、枝管接続用筒状突起部２４を２個のみ開口させるようにする。このように、枝管接続用筒状突起部２４を２個のみ開口させることにより、図１に示すように、給水枝管１１を２本接続することができるようになる。
【００３８】
また、図８に示すように、給水枝管１１を３本接続する場合には、枝管接続用筒状突起部２４を３個のみ開口させるようにする。このように、枝管接続用筒状突起部２４を３個のみ開口させることにより、図８に示すように、給水枝管１１を３本接続することができるようになる。
【００３９】
なお、枝管接続用筒状突起部２４への給水枝管１１の接続は、現場において、枝管接続用筒状突起部２４に給水枝管１１の端部を外嵌して、両者管を上記と同様に融着接合することによって行われる。また、給水枝管１１を接続しない枝管接続用筒状突起部２４については、その先端の閉塞部３１を切除などしないままにしておく。
【００４０】
このように、この実施例によれば、給水配管１３に対して融着可能な管継手本体２１が設けられ、管継手本体２１が、給水枝管１１を接続可能な枝管接続用筒状突起部２４を備えた給水配管１３の分岐部構造１２であって、管継手本体２１から、枝管接続用筒状突起部２４が、複数本突設され、複数本の枝管接続用筒状突起部２４が、その先端にそれぞれ閉塞部３１を有し、給水枝管１１を接続する枝管接続用筒状突起部２４のみに対して、その先端の閉塞部３１を切除するなどして開口させることによって、選択的に使用可能とし得るように構成したことにより、以下のような作用効果を得ることができる。即ち、上記構成により、１つの管継手によって複数の給水枝管１１への分岐が可能となると共に、分岐数を自在に選択できるようになる。これによって、建物１のパイプシャフトが狭い場合などであっても、パイプシャフトへの納まりや、他管種との取合いの問題を解消することが可能となる。また、施工現場での融着接合箇所を低減することができると共に、材料費や在庫数を減少することができる。
【００４１】
また、管継手本体２１が、各枝管接続用筒状突起部２４のそれぞれと対応する複数の穴部３５を有すると共に、枝管接続用筒状突起部２４が、先端に閉塞部３１を有し、後端に開口部３６を有するキャップ状物にて構成され、穴部３５に、キャップ状物後端の開口部３６を位置合せした状態で、予め融着することによって、一体化されたことにより、以下のような作用効果を得ることができる。即ち、上記構成により、コストをかけずに現場での施工が容易で安全且つ確実な信頼性の高い複数分岐継手を得ることができる。
【００４２】
そして、上記した給水配管１３の分岐部構造１２を、給水立て管５に採用したことにより、建物１の給水立て管５構造に対して、上記と同様の作用効果を得ることができる。
【００４３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００４４】
【図１】本発明の実施例にかかる建物の給水立て管構造の側面図である。
【図２】図１の給水配管の分岐部構造の端面図（ａ）および側面図（ｂ）である。
【図３】図２の変形例にかかる端面図（ａ）および側面図（ｂ）である。
【図４】図２の別の変形例にかかる端面図（ａ）および側面図（ｂ）である。
【図５】（ａ）〜（ｃ）は図２の使用手順を示す説明図である。
【図６】図１の施工手順を示す説明図である。
【図７】図５に続く施工手順を示す説明図である。
【図８】図１の変形例にかかる側面図である。
【符号の説明】
【００４５】
１    建物
５    給水立て管
１１  給水枝管
１２  分岐部構造
１３  給水配管
２１  管継手本体
２４  枝管接続用筒状突起部
３１  閉塞部
３５  穴部
３６  開口部
【図１】
2009121495.tif 000003
【図２】
2009121495.tif 000004
【図３】
2009121495.tif 000005
【図４】
2009121495.tif 000006
【図５】
2009121495.tif 000007
【図６】
2009121495.tif 000008
【図７】
2009121495.tif 000009
【図８】
2009121495.tif 000010